【事件の表示】
　特許第３２７７７９１号「スチームアイロン」の請求項１ないし３に係る特許に対する特許異議の申立てについて、次のとおり決定する。
【結　論】
　訂正を認める。
　特許第３２７７７９１号の請求項１ないし３に係る特許を維持する。
【理　由】
 １．訂正の適否について
１−１　訂正の内容
　平成１５年６月２日付け訂正請求書による訂正請求（以下、「本件訂正」という。）は、別紙「訂正の内容」に示すとおりである（別紙「訂正の内容」参照）。
　
１−２　訂正の適否
　特許請求の範囲についての訂正事項ａは、訂正前の請求項１に記載された「前記気化室が水の気化温度に加熱されているときに前記導水路を開いて水を流通させる熱応動開閉装置」を、「前記気化室が水の気化温度に加熱されているときに前記導水路を開いて水を流通させ
、かつ前記ベースの温度が所定の温度以下に低下すると前記導水路を閉鎖す
するとともに、前記熱応動開閉装置が閉じている場合に前記ポンプ装置により送られた水は前記合流部を通じて前記ノズル部から前記タンクへ逆流する構成と
　そして、訂正事項ａの訂正内容は、特許明細書（例えば、特許明細書の段落【0025】及び【0028】）に記載されていた事項の範囲内のものであって、実質上特許請求の範囲を拡張し又は変更するものではないといえる。
　以上のことから、訂正事項ａは、特許法第１２０条の４第２項ただし書き第１号の規定、並びに特許法第１２０条の４第３項で準用する特許法第１２６条第２項ないし第３項の規定に適合するものである。
　また、訂正事項ｂは、上記訂正事項ａの訂正内容に合わせて、発明の詳細な説明の記載を特許請求の範囲と整合させるためのものであるから、特許法第１２０条の４第２項ただし書き第３号の規定、並びに特許法第１２０条の４第３項で準用する特許法第１２６条第２項ないし第３項の規定に適合するものである。
　したがって、本件訂正を認める。
　
２．異議申立てについての判断
２−１　本件発明
　上記のとおり、本件訂正は認められるから、本件特許の発明（請求項１〜請求項３）は、訂正された特許明細書に記載された次のとおりのものである。
請求項１；
「ヒータによって加熱するベースと、前記ベースに形成した気化室と、前記気化室へ供給する水を貯えるタンクと、前記タンクの底部に設けたノズル部と、前記ノズル部を開閉して前記気化室への水の供給を制御する開閉装置と、前記タンク内の水を気化室へ多量に供給して増量スチームを発生させるポンプ装置と、前記ポンプ装置とノズル部から流出する水の合流部に連通し、かつ、前記タンク内の水を気化室へ導く水出口を有した導水路と、前記気化室が水の気化温度に加熱されているときに前記導水路を開いて水を流通させ
、かつ前記ベースの温度が所定の温度以下に低下すると前記導水路を閉鎖す
するとともに、前記熱応動開閉装置が閉じている場合に前記ポンプ装置により送られた水は前記合流部を通じて前記ノズル部から前記タンクへ逆流する構成と
請求項２；
「水を貯えるタンクを着脱自在に構成した請求項１記載のスチームアイロン。」（以下、「本件発明２」という。）
請求項３；
「ノズル部とポンプ装置からの水の合流部をベース側に設けた請求項２記載のスチームアイロン。」（以下、「本件発明３」という。）
　
２−２　取消理由通知で引用された刊行物１、２に記載された発明
２−２−１　刊行物１に記載された発明
刊行物１；特開平１−１５３１８６号公報（異議申立人の提出した甲第１号証）
　刊行物１の「ヒーターによって加熱されるベースと、このベースに設けられた気化室と、上記ベース上方に配置した水タンクと、前記水タンクと気化室の間に水通路を設けるとともに、水通路の上流側に水の供給を制御するノズルを配し、このノズルと気化室の間に弁体を配して、ベースに配置した熱応動部材により弁体の動作を制御するスチームアイロン。」（公報第１頁の特許請求の範囲の第１項参照）、「４４はタンク２６の底部に設けた熱応動部材３６と水路の気化室２４側出口の間に配したノズルで、前記錐形部の直上に配してありタンク２６内の水を制限して気化室２４へ供給することができ、開閉装置２７により使用者がベース２２温度とは無関係に開閉することができる。」（公報第２頁の右下欄第１７行〜第３頁の左上欄第２行参照）、「そして、ヒータ２１によりベース２２が加熱され熱応動部材３６の設定温度、すなわち水を気化する為に適正な温度に達した時、熱応動部材３６は第２図の鎖線のように反転し、可動板３９を介して弁軸３８を上昇させ、弁装置２９により水路２５を開放する。」（公報第３頁の左上欄第１６行〜右上欄の第１行参照）の記載、並びに対応する図面の記載内容によれば、刊行物１には、
「ヒータによって加熱するベースと、上記ベースに設けられた気化室と、上記気化室へ水を供給する水タンクと、タンクの底部に設けたノズルと、上記水タンク内の水を気化室側出口へ導く水通路と、上記ノズルを開閉して上記気化室への水の供給を制御する開閉装置と、このノズルと気化室の間に弁体を配して、上記ベースの温度が設定温度に達した時に水通路を開放し、かつ上記ベースの温度が設定温度に達しない時に前記水通路を閉鎖する熱応動開閉装置とを具備するスチームアイロン。」（以下、「引用発明１」という。）が記載されていると認められる。
　
２−２−２　刊行物２に記載された発明
刊行物２；実公平４−９９９９号公報（異議申立人の提出した甲第２号証）
　刊行物２には、「ヒータ、気化室を有するベースと、タンクと、該タンク内の水を前記気化室に送水する滴下ノズル及びポンプ装置と、前記滴下ノズル、前記ポンプ装置の各々の送水路を１つに結合してタンク外部に連絡する吐出口を備えることを特徴とするスチームアイロン。」（公報第１頁第１欄の実用新案登録請求の範囲の第１項参照）、「本考案は上記の点を考慮して成されたもので、滴下ノズル、ポンプ装置各々のタンクから気化室への送水をタンク底部の一つの吐出口より行うようにしたものである。」（公報第１頁第２欄の第８〜１１行参照）、「ポンプ装置２５のシリンダー３４は、切換ボタン３２の後方に設けたパワーボタン３５の操作により上下動し、それに伴うポンプ作用で送水路２７にタンク２０内の水を吐出する。」（公報第２頁第４欄１５行〜１９行参照）及び「パワーボタン３５を操作してポンプ装置２５を駆動すると、ポンプ装置２５より送水路２７を介して吐出される水は、その水圧で第１連通孔１０の弁装置１３を押し下げてこの孔１０を開く。従って気化室４内に水が勢いよく流入し、瞬間的に強力なスチームが噴出されることになる。」（公報第３頁第５欄２０行〜２５行参照）の記載によると、「ヒータ、気化室を有するベースと、タンクと、該タンク内の水を前記気化室に送水する滴下ノズル及びポンプ装置とを備えたスチームアイロンにおいて、滴下ノズル、ポンプ装置各々のタンクから気化室への送水をタンク底部の一つの吐出口より行うようにするとともに、パワーボタン３５を操作してポンプ装置２５を駆動すると、気化室４内に水を勢いよく流入させ、瞬間的に強力なスチームを噴出するようにしたスチームアイロン。」（以下、「引用発明２」という。）が記載されていると認められる。
　また、刊行物２には、上記「ポンプ装置２５」による「クリーニング効果」に関して、「吐出口２８は…中略…いるので、ポンプ装置２５から送水される水は勢いが弱められることなく吐出口２８から案内筒７に供給され、その直下の弁装置１３を開成して気化室４に供給される。ここでポンプ装置２５の水勢が弱められないので、送水路２７、吐出口２８、案内筒、弁装置１３、気化室４に付着した水アカのクリーニング効果が高まる。」（公報第２頁第３欄第３９行〜同頁第４欄第４行参照）ことが、併せて記載されている。
　
２−３　対比・判断
２−３−１　一致点・相違点
　本件発明１と引用発明１と対比すると、引用発明１の「水タンク」、「水通路」、「ノズル」は、本件発明１の「水を貯えるタンク」、「導水路」、「ノズル部」に、それぞれ相当し、また、その作用ないし機能からみて、引用発明１の「このノズルと気化室の間に弁体を配して、上記ベースの温度が設定温度に達した時に水通路を開放し、かつ上記ベースの温度が設定温度に達しない時に前記水通路を閉鎖する熱応動開閉装置」は、本件発明１の「前記気化室が水の気化温度に加熱されているときに前記導水路を開いて水を流通させ
、かつ前記ベースの温度が所定の温度以下に低下すると前記導水路を閉鎖す
、かつ前記ベースの温度が所定の温度以下に低下すると前記導水路を閉鎖す
（相違点１）本件発明１は「前記タンク内の水を気化室へ多量に供給して増量スチームを発生させるポンプ装置」を備えているのに対して、引用発明１は、このような構成を備えていない点。
（相違点２）本件発明１は、「前記ポンプ装置とノズル部から流出する水の合流部に連通」させるとともに、「前記熱応動開閉装置を前記合流部と水出口の間に配置
するとともに、前記熱応動開閉装置が閉じている場合に前記ポンプ装置により送られた水は前記合流部を通じて前記ノズル部から前記タンクへ逆流する構成
　
２−３−２　相違点の判断
（相違点１について）
　ヒータ、気化室を有するベースと、タンクと、該タンク内の水を前記気化室に送水する滴下ノズル及びポンプ装置とを備えたスチームアイロンにおいて、パワーボタン３５を操作してポンプ装置２５を駆動すると、気化室４内に水を勢いよく流入させ、瞬間的に強力なスチームを噴出するようにしたものは、本件特許の出願日前に、刊行物２により引用発明２として公知の技術であったといえる。
　してみると、相違点１は、引用発明１に、同じスチームアイロンの発明が備える上記公知の技術を適用することにより、当業者が容易に採用し得た設計的事項であるといえる。
　
（相違点２について）
　相違点２における「前記ポンプ装置とノズル部から流出する水の合流部に連通」させて構成した点は、同じく、引用発明２により従来より公知の技術であったといえる。
　しかしながら、上記構成を採用するのに合わせて、「前記熱応動開閉装置を前記合流部と水出口の間に配置
するとともに、前記熱応動開閉装置が閉じている場合に前記ポンプ装置により送られた水は前記合流部を通じて前記ノズル部から前記タンクへ逆流する構成
　すなわち、上記２−２−２で指摘したように、刊行物２は、上記「ポンプ装置２５」による「クリーニング効果」に関して、「送水路２７、吐出口２８、案内筒、弁装置１３、気化室４に付着した水アカのクリーニング効果」を奏する構成を開示しているものの、ポンプ装置とノズル部から流出する水の合流部から見て、上記気化室側とは反対側に在るノズル部のクリーニング効果を奏する構成を開示するものではなく、かつまた、当該ノズル部のクリーニングを行うという課題を示唆するものでもない。
　さらに、上述したような逆流する構成とすることが、本件特許の出願日前に、本件発明１の属する技術分野において周知ないし公知の技術であったといえる証拠も他に見出すことができない。
　そして、本件発明１は、上記した点の構成を備えることにより特許明細書記載の作用・効果（例えば、段落【0033】に記載されるような「ノズル部のセルフクリーニング機能を可能とし、スチーム性能を向上させて安定したスチームを噴出させることができる」という作用・効果）を奏するものといえる。
　したがって、本件発明１は、刊行物１及び２に記載された発明に基いて当業者が容易に発明をすることができたものとすることはできない。
　
２−３−３　本件発明２及び３について
　本件発明２及び３は、それぞれ、本件発明１を引用する発明であって、これを更に限定するものであるから、本件発明１につき説示したのと同様に、刊行物１及び２に記載された発明に基いて当業者が容易に発明をすることができたものとすることはできない。
　
２−３−４　特許異議申立の他の理由について
　特許異議申立書は、上記理由に加えて、特許法第３６条第４項の記載不備を異議申立の理由としているものの、スチームアイロンの技術分野における代表的な出願人らによる（本件発明の出願日当時までの）明細書の記載態様の実態を踏まえれば、同上異議申立書で主張する「効果」に関する本件明細書の発明の詳細な説明の記載が、当業者が容易にその実施をすることができない程に不備であるとまではいうことができない。
　したがって、本件発明１〜３の特許は、特許法３６条第４項の規定に違反してされたものであるということができない。
　
３．むすび
　以上のとおりであるから、特許異議申立ての理由及び証拠によっては、本件発明１〜３の特許を取り消すことができない。
　また、本件発明１〜３の特許につき、他の取り消すべき理由も見出すことができない。
　よって、結論のとおり決定する。
【異議決定日】
平成１６年４月６日（２００４．４．６）
【訂正の要旨】
審決（決定）の【理由】欄参照。
（５４）【発明の名称】
スチームアイロン
（５７）【特許請求の範囲】
　【請求項１】　ヒータによって加熱するベースと、前記ベースに形成した気化室と、前記気化室へ供給する水を貯えるタンクと、前記タンクの底部に設けたノズル部と、前記ノズル部を開閉して前記気化室への水の供給を制御する開閉装置と、前記タンク内の水を気化室へ多量に供給して増量スチームを発生させるポンプ装置と、前記ポンプ装置とノズル部から流出する水の合流部に連通し、かつ、前記タンク内の水を気化室へ導く水出口を有した導水路と、前記気化室が水の気化温度に加熱されているときに前記導水路を開いて水を流通させ
、かつ前記ベースの温度が所定の温度以下に低下すると前記導水路を閉鎖す
するとともに、前記熱応動開閉装置が閉じている場合に前記ポンプ装置により送られた水は前記合流部を通じて前記ノズル部から前記タンクへ逆流する構成と
　【請求項２】　水を貯えるタンクを着脱自在に構成した請求項１記載のスチームアイロン。
　【請求項３】　ノズル部とポンプ装置からの水の合流部をベース側に設けた請求項２記載のスチームアイロン。
【発明の詳細な説明】
　【０００１】
　【発明の属する技術分野】
　本発明は、衣類等のしわを伸ばすために用いられるスチームアイロンに関するものである。
　【０００２】
　【従来の技術】
　従来、この種のスチームアイロンは、特開昭６１−２６３４９３号公報に示されているように構成していた。以下、その構成について説明する。
　【０００３】
　図４に示すように、ヒータ１を有するベース２の上方には、水を貯えるタンク３を配置している。このタンク３内の水は開かれた穴４を通過して導水路５内に入り、開閉弁６および熱応動開閉装置７を通過し、ノズル部８より気化室９に入り、スチームとなってベース２のスチーム穴２ａから噴出するようになっている。
　【０００４】
　すなわち、スチーム釦１０がスチームの位置では、開閉弁６が開いており、ベース２の温度がヒータ１により加熱されて所定温度に達していると、バイメタルで構成した熱応動装置１１が上方へ反転して熱応動開閉装置７を開き、タンク３から水が開閉弁６および熱応動開閉装置７を通過して、ノズル部８より気化室９に入り、スチームを噴出する。
　【０００５】
　また、スチーム釦１０を下方へ押し下げた状態に維持することにより、開閉弁６を閉じることができ、タンク３から気化室９への水の供給を停止し、スチームの噴出を停止させることができる。また、スチーム釦１０を操作すれば、開閉弁６が閉じてポンプ装置１２によって多量の水が気化室９に送られ、増量スチームを噴出することができる。
　【０００６】
　【発明が解決しようとする課題】
　このような従来の構成では、タンク３内に異物やごみ等が入ると、水とともに導水路５内に流入してノズル部８がつまったり、ノズル部８に至る導水路５内につまると、スチームを安定して噴出させることができなくなるという問題があった。
　【０００７】
　また、タンク３の水出口とポンプ装置１２および熱応動装置１１を水平方向に位置をずらせて配設しなければならない構造上の制約から、導水路５の入口から出口までの距離がベース２の上面に沿って長くなるため、導水路５の開閉を行ってからスチームが噴出、停止するまでに時間的なずれが生じて応答性が悪いという問題があった。
　【０００８】
　また、スチームを止めた状態で使用すると、導水路５がベース２からの熱を受けて加熱されるため、このような状態からスチームを噴出させるために導水路５に水を流入させると、水が導水路５内で沸騰して気泡が溜まり、この気泡が狭い導水路５を塞いで水の円滑な流動を阻害して安定したスチームを噴出させることができなくなるという問題もあった。
　【０００９】
　さらに、一つのスチーム釦１０によりスチームの噴出と停止の操作に加えて、増量スチームを噴出させる操作を行うため、構成の簡素化が図れるという利点がある反面、ポンプ装置１２を作動させているときに、誤ってスチーム釦１０を所定量以上押し下げて、スチームの停止状態に切り替えてしまうという問題があった。
　【００１０】
　そして、この問題を解決するために、所定量以上の不用意な押し下げを防止すべく適切な規制手段を設けると、スチームを停止させる場合にその規制手段に抗して強い押圧力で操作をしなければならなくなり、使い勝手の面で相矛盾する問題を有していた。
　【００１１】
　本発明は上記従来の課題を解決するもので、ノズル部のセルフクリーニング機能を可能とし、スチーム性能を向上させることを目的としている。
　【００１２】
　【課題を解決するための手段】
　本発明のスチームアイロンにおいては、ヒータによって加熱するベースに気化室を形成し、この気化室へ供給する水を貯えるタンクの底部にノズル部を設け、開閉装置によりノズル部を開閉して気化室への水の供給を制御し、タンク内の水を導水路を通して気化室へ導くとともに、ポンプ装置によりタンク内の水を気化室へ多量に供給して増量スチームを発生させ、気化室が水の気化温度に加熱されているとき
に導
ベースの温度が所定の温度以下に低下すると導水路を閉鎖する
　【００１３】
　これにより、ノズル部のセルフクリーニング機能を可能とし、スチーム性能を向上させて安定したスチームを噴出させることができる。
　【００１４】
　【発明の実施の形態】
　本発明の請求項１に記載の発明は、ヒータによって加熱するベースと、前記ベースに形成した気化室と、前記気化室へ供給する水を貯えるタンクと、前記タンクの底部に設けたノズル部と、前記ノズル部を開閉して前記気化室への水の供給を制御する開閉装置と、前記タンク内の水を気化室へ多量に供給して増量スチームを発生させるポンプ装置と、前記ポンプ装置とノズル部から流出する水の合流部に連通し、かつ、前記タンク内の水を気化室へ導く水出口を有した導水路と、前記気化室が水の気化温度に加熱されているときに前記導水路を開いて水を流通させ
、かつ前記ベースの温度が所定の温度以下に低下すると前記導水路を閉鎖す
するとともに、前記熱応動開閉装置が閉じている場合に前記ポンプ装置により送られた水は前記合流部を通じて前記ノズル部から前記タンクへ逆流する構成と
　【００１５】
　請求項２に記載の発明は、上記請求項１に記載の発明において、水を貯えるタンクを着脱自在に構成したものであり、タンクに水の注水を行う場合、タンクだけを持ち運びして行うことが可能となり、使い勝手を向上することができる。
　【００１６】
　請求項３に記載の発明は、上記請求項２に記載の発明において、ノズル部とポンプ装置からの水の合流部をベース側に設けたものであり、タンクの構成を簡素化することができる。
　【００１７】
　以下、本発明の実施の形態について、図面を参照しながら説明する。なお、従来例と同じ構成のものは同一符号を付して説明を省略する。
　【００１８】
　（実施の形態）
　図１から図３に示すように、ヒータ１はベース２を加熱するもので、このベース２に気化室９を形成し、気化室蓋１３により気化室９を覆っている。ベース１の上方には水を貯えるタンク１４を着脱自在に取着している。
　【００１９】
　タンク１４は、底部にノズル部１５を設け、このノズル部１５の小孔を開閉桿（開閉装置）１６により開閉し、気化室９への水の供給を制御する。この開閉桿１６はスチーム釦１７により操作するとともに、ロック釦１８とロック釦ばね１９により上下に固定するように構成している。
　【００２０】
　ポンプ装置２０は、増量スチームを発生させるもので、このポンプ装置２０を増量スチーム釦２１により操作するようにしている。増量スチーム釦ばね２２は増量スチーム釦２１を復帰させるものである。
　【００２１】
　ノズル部１５の下方に第１の開口２３を設けるとともに、ポンプ装置２０の下方に第２の開口２４を設け、第１の開口２３と第２の開口２４は、ベース２に設けた合流部２５に連通してノズル部１５とポンプ装置２０から流出する水を合流するようにしている。パッキン２６は、タンク１４をベース２に装着したとき、水密性を確保するものである。
　【００２２】
　導水路２７は、合流部２５に連通し、タンク１４内の水を気化室９に導くもので、水出口２８を有している。熱応動開閉装置７はヒータ１により加熱されるベース２の温度が所定温度に達していると、熱応動装置１１が反転して熱応動開閉装置７を開くようにしたもので、合流部２５と水出口２８との間に配置している。
　【００２３】
　上記構成において動作を説明すると、作業者がアイロン本体の電源を入れ、任意の温度に設定すると、ヒータ１に通電することによりベース２の温度が上昇する。そして、ベース２の温度がある温度以上になると熱応動開閉装置７が働き、導水路２７内が開放される。
　【００２４】
　スチーム釦１７を上昇させた状態にロックされていると、タンク１４内の水がノズル１５、第１の開口２３、合流部２５を通って導水路２７内に入り、水出口２８から気化室９に水滴が落ちてスチームが発生する。
　【００２５】
　スチームが発生してベース２の温度が所定の温度以下に低下すると、熱応動開閉装置７が働き、導水路２７内が閉鎖され、導水路２７内の水の流れがなくなるためスチームが止まる。また、ベース２の温度とは無関係に、スチーム釦１７を押し下げて開閉桿１６を下げることによって、ノズル部１５の穴が閉じてスチームが止まる。
　【００２６】
　次に、増量スチーム釦２１を押し下げると、ポンプ装置２０内の水圧が上がり、鋼球２９が押し下げられて入水口はシールされ、ゴム等でできたパッキン３０が変形することにより、熱応動開閉装置７が開いている場合には、第２の開口２４、合流部２５を通って導水路２７より水が気化室９へと強制的に流れ、勢いの強いスチームを噴出することができる。
　【００２７】
　その後、増量スチーム釦ばね２２によって増量スチーム釦２１は上に上がり、ポンプ装置２０内の圧力が下がる。その際、出水口はパッキン３０によってシールされ、入水口は鋼球２９が引き上げられることにより開く。その結果、水がポンプ装置２０内に入る。以上の操作を繰り返すことによって、通常以上のスチーム力を持ったスチームを発生させることができる。
　【００２８】
　次に、ベース２の温度が低く、熱応動開閉装置７が閉じている場合に作業者が増量スチーム釦２１を操作すると、ポンプ装置２０により送られる多量の水は、第２の開口２４、合流部２５、第１の開口２３を通してノズル部１５からタンク１４へと逆流する。
　【００２９】
　このとき、ノズル部１５の上流側に付着または堆積している異物等は、ノズル部１５を逆流する水の勢いで除去することができる。したがって、作業者がこの操作を定期的に行えば、ノズル部１５の異物による詰まりを防止することができる。
　【００３０】
　また、熱応動開閉装置７をポンプ装置２０とノズル部１５から流出する水の合流部２５と水出口２８の間に配置することにより、従来例と比較して導水路２７の全長を短くすることができ、スチームを止めた状態で使用し、導水路２７がベース２からの熱を受けて加熱された状態からスチームを噴出させるために導水路２７に水を流入させた場合でも、水が沸騰することによる気泡が導水路２７内に溜まることがなく、安定したスチームを噴出させることができる。
　【００３１】
　さらに、タンク１４を着脱自在に構成することにより、作業者がタンク１４に水を入れる際に、アイロン本体を持ち運びする必要がなくなるため、使い勝手が良いのは明白である。
　【００３２】
　また、ノズル部１５とポンプ装置２０からの水の合流部２５をベース２側に設けることにより、タンク１４の構成を簡素化することが可能であり、タンク１４を小型化、軽量化することができる。
　【００３３】
　【発明の効果】
　以上のように本発明の請求項１に記載の発明によれば、ヒータによって加熱するベースと、前記ベースに形成した気化室と、前記気化室へ供給する水を貯えるタンクと、前記タンクの底部に設けたノズル部と、前記ノズル部を開閉して前記気化室への水の供給を制御する開閉装置と、前記タンク内の水を気化室へ多量に供給して増量スチームを発生させるポンプ装置と、前記ポンプ装置とノズル部から流出する水の合流部に連通し、かつ、前記タンク内の水を気化室へ導く水出口を有した導水路と、前記気化室が水の気化温度に加熱されているときに前記導水路を開いて水を流通させ
、かつ前記ベースの温度が所定の温度以下に低下すると前記導水路を閉鎖す
するとともに、前記熱応動開閉装置が閉じている場合に前記ポンプ装置により送られた水は前記合流部を通じて前記ノズル部から前記タンクへ逆流する構成と
　【００３４】
　また、請求項２に記載の発明によれば、水を貯えるタンクを着脱自在に構成したから、タンクに水の注水を行う場合、タンクだけを持ち運びして行うことが可能となり、使い勝手を向上することができる。
　【００３５】
　また、請求項３に記載の発明によれば、ノズル部とポンプ装置からの水の合流部をベース側に設けたから、タンクの構成を簡素化することができる。
【図面の簡単な説明】
　【図１】
　本発明の一実施の形態のスチームアイロンの断面図
　【図２】
　同スチームアイロンのベースの要部上面図
　【図３】
　同スチームアイロンのＡ−Ａ線断面図
　【図４】
　従来のスチームアイロンの一部切欠した断面図
　【符号の説明】
　１　ヒータ
　２　ベース
　７　熱応動開閉装置
　９　気化室
　１４　タンク
　１５　ノズル部
　１６　開閉桿（開閉装置）
　２０　ポンプ装置
　２５　合流部
　２７　導水路
　２８　水出口